(57)【要約】      （修正有）【課題】一回の操作で確実・簡単に脳試料などの試料を採取することができ、大量生産しやすい、より単純な構成からなる生体試料採取具を提供する。【解決手段】両端に開口部を有する外筒２と、外筒２と略同径で一端を密封された内筒３とからなり、外筒２へ内筒３がその密封された一端を長手方向へスライド可能に挿入されていること、外筒２と内筒３のそれぞれに互いに嵌合するスライド位置を仮止めする固定手段５が設けられている。【選択図】図１
0003106269.tif 000002
【実用新案登録請求の範囲】
【請求項１】
両端に開口部を有する外筒と、該外筒の内径と略同径の外径を有すると共に前記外筒の長さより大きい長さを有し、一端が封止された内筒とからなり、
前記外筒に前記内筒がその封止された一端を長手方向へスライド可能に挿入され、
前記外筒と前記内筒のそれぞれに互いに嵌合するスライド位置を仮止めする固定手段が設けられ、前記スライド位置を仮止めした状態で前記内筒の封止端部と前記外筒の開放端部側の内部とにより所望の体積の空間が形成されていることを特徴とする、生体試料採取具。
【請求項２】
前記内筒には、該内筒が前記外筒内に潜り込むことを防止するストッパーが設けられていることを特徴とする、請求項１記載の生体試料採取具。
【請求項３】
採取する生体試料が反芻動物延髄試料であることを特徴とする、請求項１又は２に記載の生体試料採取具。
【請求項４】
前記外筒に、当該外筒内の空気抜き手段が設けられていることを特徴とする、請求項１〜３のいずれか一に記載の生体試料採取具。
【請求項５】
前記内筒に、前記外筒内の空気抜き手段が設けられていることを特徴とする、請求項１〜４のいずれか一に記載の生体試料採取具。
【請求項６】
前記外筒および前記内筒がそれぞれプラスチック性樹脂で一体成型されていることを特徴とする、請求項１〜５のいずれか一に記載の生体試料採取具。
【考案の詳細な説明】
【技術分野】
【０００１】
本考案は、軟性の生物試料を収集する為の器具の技術分野に属し、更に言えば、牛等の延髄から海綿状脳症の診断に供される脳試料を一定量収集するための器具に関する。
【背景技術】
【０００２】
従来、ヒトやその他動物から軟性の生物試料を採取し、当該生物試料を用いて病気等の各種診断が行われている。
【０００３】
例えば、牛における牛海綿状脳症と呼ばれる、所謂「狂牛病」（以下、ＢＳＥと言う）の診断方法は、ＢＳＥの診断標識であるプリオンタンパク質（ＰｒＰSc）の選択的な蓄積が起こる領域を構成する脳質、特に動物の脳幹（迷走神経の知覚細胞核と運動細胞核）から集められる試料（以下、単に脳試料と言う）を採取し、集められた脳試料に様々なこの疾病の特定の標識であるＰｒＰScの抽出処理を行い、免疫学的検定によって解析する。
【０００４】
このＢＳＥの診断に用いられる脳試料は、その試料がＢＳＥを発症している牛のものである場合、経口などによりヒトの体内に入り一定量蓄積すると変異型クロイツフェルトヤコブ病を発症する恐れがあり、安全かつ容易に採取できる生体試料の採取具が求められていた。
【０００５】
また、生体試料の採取具は、個々の試料間の汚染を起こさないように各生体試料毎に代えなければならず、安価で使い捨て可能な採取具が求められていた。
【０００６】
これらの要請に対し、研究・開発が行われ、種々の製品が生み出されている。例えば、特許3421331号には、使い捨てのピストン形状の採取具が開示されている。この採取具は、注射器のように、中空円筒体のシリンジと、当該シリンジ内の生体試料を押し出すピストン−ロッドとから構成されている。前記シリンダの開口部には、その縁に沿ってテーパー形状のスライジングエッジが設けられ、更に採取した試料を脳幹から切り離すための切断ワイヤーが設けられている（特許文献１参照）。
【０００７】
【特許文献１】特許第3421331号公報
【考案の開示】
【考案が解決しようとする課題】
【０００８】
上記した特許3421331号に開示された発明は、安全かつ容易に採取できるが、シリンジの開口部に切断ワイヤーを設けるなど複雑な構造を採用している為、生産コストが高く、日本国内だけでも年間１００万頭近くの牛を検査・診断対象とするＢＳＥ検査に用いる使い捨ての試料採取具としては、割高で高価であるとの問題がある。
【０００９】
また、当該発明のシリンジは、試料にシリンジを挿入したのち、注射器のようにピストン−ロッドを引きシリンジ内に試料を導入するが、試料が軟性であるため、空気などが入り込む場合もあり、一回の操作で確実に試料を採取することは難しいとの問題もある。
【課題を解決するための手段】
【００１０】
上記した従来技術の課題を解決するための手段として、請求項１に記載した考案に係る生体試料採取具は、
両端に開口部を有する外筒と、該外筒の内径と略同径の外径を有すると共に前記外筒の長さより大きい長さを有し、一端が封止された内筒とからなり、
前記外筒に前記内筒がその封止された一端を長手方向へスライド可能に挿入され、
前記外筒と前記内筒のそれぞれに互いに嵌合するスライド位置を仮止めする内筒固定手段が設けられ、前記スライド位置を仮止めした状態で前記内筒の封止端部と前記外筒の開放端部側の内部とにより所望の体積の空間が形成されていることを特徴とする。
【００１１】
請求項２記載の考案は、請求項１記載の生体試料採取具において、前記内筒には、該内筒が前記外筒内に潜り込むことを防止するストッパーが設けられていることを特徴とする。
【００１２】
請求項３記載の考案は、請求項１又は２記載の生体試料採取具において、採取する生体試料が反芻動物延髄試料であることを特徴とする。
【００１３】
請求項４記載の考案は、請求項１〜３のいずれか一に記載の生体試料採取具において、前記外筒に当該外筒内の空気抜き手段が設けられていることを特徴とする。
【００１４】
請求項５記載の考案は、請求項１〜４のいずれか一に記載の生体試料採取具において、前記内筒に、前記外筒内の空気抜き手段が設けられていることを特徴とする。
【００１５】
請求項６記載の考案は、請求項１〜５のいずれか一に記載の生体試料採取具において、前記外筒および前記内筒がそれぞれプラスチックで一体に成型されていることを特徴とする。
【考案の効果】
【００１６】
本願考案によれば、一回の操作で確実に脳試料などの試料を採取することができ、大量生産し易すく、より安価で単純な構成からなる生体試料採取具を提供できる。
【考案を実施するための最良の形態】
【００１７】
以下、図面に基づいて、請求項１〜５に記載した考案に係る生体試料採取具の実施形態について説明する  。
【００１８】
この生体試料採取具１は、図１と図２に示したように、両端に開口部４ａ、４ｂを有する外筒２と、該外筒２の内径Rと略同径の外径ｒを有し、且つ一端を封止された内筒３とから構成される。
【００１９】
前記内筒３は、その封止された一端（以下、ピストン部位という）６が長手方向へ自在にスライド移動できるように外筒２に挿入されている。内筒３のピストン部位６は、外筒２内に挿入された生体試料を該外筒２の外へ押し出しできるように封止されている。
【００２０】
また、内筒３には、該内筒３が前記外筒内２に潜り込むことを防止するストッパーが設けられている。具体的には、例えば、ピストン部６と対を成す内筒２の他端部における開口部８の縁に沿って、外筒の口径より拡径のフランジ状の出っ張りを設けられている。勿論、このフランジ状の出っ張りは、開口部８の縁に沿った周囲全体に設ける必要はなく、縁の一部に部分的に設けても好適に実施できる。更に、当該フランジ状のストッパー７を設置する箇所は、ピストン部６と対を成す内筒２の開口部８の縁に限定されることなく、当該他端部近傍の周囲に設けてもよい。
【００２１】
このストッパー７を設けることにより、外筒２内に挿入された生体試料１１を内筒３によって押し出した際、内筒３全体が外筒２内に潜り込むように挿入されて内筒３と外筒２とが重なり合い、内筒３を外筒２から取り外すことができなくなってしまうことを防止できる。
【００２２】
次に、前記外筒２と前記内筒３とには、前記内筒３のスライド位置を仮止めする内筒固定手段５（５ａ，５ｂ）が設けられている。具体的には、図３に示すように、外筒２の周囲に溝状の凹部５ａを設け、同時に内筒３にも前記外筒２の凹部５ａと嵌合可能な凹部５ｂを設けた構成からなる。もちろん、この内筒固定手段５は、この構成に限定されず、例えば、図４に示したように、外筒２の周囲に凸部５ａ’を設け、内筒３には前記凸部５ａ’と嵌合可能な凸部５ｂ’を設けた構成でも好適に実施できる。つまり、内筒固定手段５は、外筒２と内筒３にそれぞれ嵌合可能な凸部（凹部）を設けた構成であれば、どのような態様でもよい。
【００２３】
また、前記外筒２又は内筒３には、外筒２の先端を脳延髄などの生体試料１１に押し付けて外筒２内に所望量の生体試料１１を採取する際によりスムーズに生体試料１１が外筒２内に挿入されるように生体試料１１が挿入される空間（以下、生体試料採取部という）１０内の空気を外筒２の外部へ排出する空気抜き手段が、設けられている。例えば、生体試料採取部１０を構成する外筒２の一部に、１つ以上の微細孔を設けてもよいし、生体試料採取部１０を構成する内筒３のピストン部に同様の微細孔を設けてもよい。また、前記生体試料採取部１０から開口部４ｂにかけて、外筒２の長手方向へ一連の空気抜き用の溝を設けてもよい。また、やはり内筒２の長手方向に沿って端から端まで、即ちピストン部６の先端から開口部８にかけて空気抜き用の溝を一連に設けてもよい。
【００２４】
以上に詳述した生体試料採取具１の外筒２及び内筒３の形状は、図１等に示したような円筒に限らない。例えば、正方形の開口部を擁する四角筒などの多角形状の筒でもよい。
【００２５】
生体採取具１の材質は、金属、ガラス等でもよいが、通常ポリプロピレン、ポリエチレン、ポリスチレン、ABS等のプラスチック製樹脂が用いられ、好ましくは透明又は半透明に成形される。生体採取具１の大きさ、形状は、一例として、外筒の縦寸Lが８０mm、内径Rが７mm位の円筒で、内筒の縦寸ｌが８５ｍｍ、外径ｒが７ｍｍ位の円筒である。因みに、生体試料の採取容積は、一例として、およそ２００ｍｇである。
【００２６】
もちろん、これらの寸法は、採取する対象となる生体試料の種類及びその容量により適宜設計される。
【００２７】
次に、上記した生体試料採取具１の使用方法の概略を、図５Ａ〜Ｄを参照して説明する。
【００２８】
まず、図５Ａに示すように、生体試料採取具１の先端部を、例えば牛や羊などの反芻動物の脳幹などの生体試料１１に押し付ける。
【００２９】
その後、図５Ｂに示すように、生体試料採取具１をその生体試料採取部１０が生体試料１１に埋まる程度に差込み、抉るように目的部位の生体試料１１を採取する。
【００３０】
続いて、図５Ｃ，Ｄに示すように、内筒３を矢印方向に押し出して、外筒２の生体試料採取部１０に挿入された生体試料１１を検体容器１２等へ移し、その後当該検体容器１２は検査に回される。
【産業上の利用可能性】
【００３１】
本考案は、ヒトやその他動物から軟性の生物試料を採取し、当該生物試料を用いて病気等の各種診断に供する軟性の生物試料を収集する為の器具を供する産業において利用される。更に言えば、海綿状脳症の診断において、羊や牛、更にはヒトなどの延髄から生体試料を一定量採取するための器具を供給する産業で利用される。
【図面の簡単な説明】
【００３２】
【図１】本考案にかかる生体試料採取具の概略を示した斜視図である。
【図２】本考案にかかる生体試料採取具の構造の概略を示した分解斜視図である。
【図３】内筒固定手段を示した説明図である。
【図４】異なる実施形態の内筒固定手段を示した説明図である。
【図５】Ａ〜Ｄは本考案にかかる生体試料採取具の使用方法の概略を示した説明図である。
【符号の説明】
【００３３】
１    生体試料採取具、
２    外筒
３    内筒
５    内筒固定手段
７    ストッパー
１１  生体試料（脳試料）
【図１】
0003106269.tif 000003
【図２】
0003106269.tif 000004
【図３】
0003106269.tif 000005
【図４】
0003106269.tif 000006
【図５】
0003106269.tif 000007